(57)【要約】【課題】安価で帯域使用効率の良いＰＤＨ無線伝送装置を提供する。【解決手段】ＰＤＨ無線伝送装置は、複数チャネルのＰＤＨ信号列をスタッフ同期処理した後、多重化して無線フレームに収容し、２方向の無線伝送路を介して対向局へ前記無線フレーム信号を送出し、前記対向局で分離してデスタッフ処理し、前記ＰＤＨ信号列を出力するＰＤＨ無線伝送装置において、前記２方向の無線伝送路を介して、前記無線フレーム信号を送受信する２つの無線送受信手段と、前記２方向の無線伝送路の一方を介して受信した前記無線フレーム信号から前記ＰＤＨ信号列を抽出し、前記無線伝送路の他方へ送出する中継回路手段と、前記ＰＤＨ信号列を２分岐し、前記無線伝送路経由でノード局へ送出するフレーム送出手段と、前記無線伝送路を介して受信した前記ＰＤＨ信号列から、回線品質に基づいて、いずれか一方を選択して出力する信号選択手段とを有する。【選択図】図２
2007259084.tif 000002
【特許請求の範囲】
【請求項１】
複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送装置において、
前記複数のノード局のうち隣接する２つの異なる隣接ノード局との間で、前記２方向の無線伝送路を介して、前記無線フレーム信号を送受信する２つの無線送受信手段
を有することを特徴とするＰＤＨ無線伝送装置。
【請求項２】
前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段
をさらに有することを特徴とする請求項１に記載のＰＤＨ無線伝送装置。
【請求項３】
前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段
をさらに有することを特徴とする請求項１に記載のＰＤＨ無線伝送装置。
【請求項４】
前記無線送受信手段により前記２方向の無線伝送路を介して受信した前記ＰＤＨ信号列から、無線伝送路の回線品質に基づいて、いずれか一方を選択して出力する信号選択手段
をさらに有することを特徴とする請求項１に記載のＰＤＨ無線伝送装置。
【請求項５】
複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送装置において、
前記複数のノード局のうち、隣接する２つの異なる隣接ノード局との間で、前記２方向の無線伝送路を介して、前記無線フレーム信号を送受信する２つの無線送受信手段と、
前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段と、
前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段と、
前記無線送受信手段により前記２方向の無線伝送路を介して受信した前記ＰＤＨ信号列から、無線伝送路の回線品質に基づいて、いずれか一方を選択して出力する信号選択手段と
を有することを特徴とするＰＤＨ無線伝送装置。
【請求項６】
前記ＰＤＨ信号列の入力障害又は前記無線伝送路の回線障害が発生した場合、前記対向局へ前記無線フレーム信号におけるＰＤＨ信号列のスタッフ制御情報を転送していた帯域を代用して、警報転送を行なう警報転送手段
をさらに有することを特徴とする請求項１乃至５のいずれか１項に記載のＰＤＨ無線伝送装置。
【請求項７】
前記中継回路手段は、前記２つの無線伝送路のうちの一方に回線障害が発生した場合、前記２つの無線伝送路のうちの他方に中継出力するＰＤＨ信号列のスタッフ制御情報を転送していた帯域に、固定パターンを挿入することによって前記対向局へ回線障害を通知する回線障害通知手段
をさらに有することを特徴とする請求項２に記載のＰＤＨ無線伝送装置。
【請求項８】
前記ＰＤＨ信号列の入力障害又は前記無線伝送路の回線障害が発生した場合、障害発生を示す警報を前記ＰＤＨ信号列で前記対向局に通知する障害発生通知手段
をさらに有することを特徴とする請求項１乃至７のいずれか１項に記載のＰＤＨ無線伝送装置。
【請求項９】
複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送システムにおいて、
前記複数のノード局のうち、隣接する２つの異なる隣接ノード局との間で、前記２方向の無線伝送路を介して、前記無線フレーム信号を送受信する２つの無線送受信手段と、
前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段と
を有する第１のＰＤＨ無線伝送装置と、
前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段
を有する第２のＰＤＨ無線伝送装置と、
前記無線送受信手段により前記２方向の無線伝送路を介して受信した前記ＰＤＨ信号列から、無線伝送路の回線品質に基づいて、いずれか一方を選択して出力する信号選択手段
を有する第３のＰＤＨ無線伝送装置と
を有することを特徴とするＰＤＨ無線伝送システム。
【発明の詳細な説明】
【技術分野】
【０００１】
本発明は、ＰＤＨ無線伝送装置に関し、特に、ＰＤＨ無線伝送装置をリング状に配置し、時計回り方向及び反時計回り方向の２つの伝送路を設けてネットワーク構成（ＰＤＨリングネットワーク構成と定義する。）として適用する場合において好適な無線伝送装置である。
【背景技術】
【０００２】
予備伝送ルートを備えた高信頼性のバックボーン回線を構築するにあたり、複数のノード局をリング状に配置して時計回り方向及び反時計回り方向に異なる２つの伝送路を設け、各ノード局の送信側では外部から入力されるＰＤＨ（Ｐｌｅｓｉｏｃｈｒｏｎｏｕｓ  Ｄｉｇｔａｌ  Ｈｉｅｒａｒｃｈｙ）信号列を前記リングの時計回り方向及び反時計回り方向の２方向に分岐して送出し、受信側では２方向の伝送路から受信したＰＤＨ信号列のうちいずれか１本を選択して出力し、収容信号列単位で障害の無い伝送路から受信した信号列を選択受信するリングネットワーク構成を用いる場合がある。特に、収容するデータ量が多い大規模リングネットワーク構成では、ＰＤＨ信号列に障害情報などを管理するパス管理情報を付加してＳＤＨ（Ｓｙｎｃｈｒｏｎｏｕｓ  Ｄｉｇｔａｌ  Ｈｉｅｒａｒｃｈｙ）信号に収容し、ＳＤＨ伝送装置を用いて前記パス管理情報を受信側ノード局に転送することでＰＤＨ信号列単位の経路選択を実現するのが一般的である。
【０００３】
しかし、近年では比較的小規模なネットワーク網でも高信頼性が求められており、既存のＰＤＨ非同期回線を巻き取りながら規模の小さいリングネットワーク網を安価に構築する要望が高まっていた。
【０００４】
ノード局間の伝送路を構築する方法として、光ケーブルなどを用いた有線伝送路を施設する方法や、無線伝送路を介して信号伝送を行う無線伝送装置を用いる方法などがあるが、ノード局間の地理的な制約を比較的受けずに安価に伝送路を構築する手段として、無線伝送装置を用いることは有効である。
【０００５】
また、リングネットワーク構成においては、通信経路中の任意の箇所で生じた通信パス障害を受信側ノード局で検出して受信パス信号の切替を行うために、通信路の障害を受信側ノード局に対して通知する手段が必要となる。
【０００６】
通信路の障害を受信側ノード局に対して通知する方法はこれまでにも様々な提案がなされており、例えば特開平９−３６９０４では、ＳＤＨ信号に収容するパス信号領域に予め確保されているパスオーバヘッド領域を用いて警報転送を行う方法が提案されている。
【特許文献１】特開平９−３６９０４号公報
【発明の開示】
【発明が解決しようとする課題】
【０００７】
特許文献１に記載された無線伝送装置では、ＳＤＨ信号を収容する伝送装置を用いてリングネットワークを構成する場合には、規定された容量を持つＳＤＨ信号にＰＤＨ信号列を収容するため、ＳＤＨ信号が収容可能なＰＤＨ信号列の伝送容量に対してノード局間を伝送するＰＤＨ信号列の総伝送容量が少ない場合でも、ノード局間の伝送帯域は必ずＳＤＨで規定された伝送容量を確保する必要があった。
【０００８】
すなわち、収容する信号列の伝送容量に関わらず常にＳＤＨ信号で規定された伝送帯域をノード局間の伝送路に確保する必要があった。さらに、回線制御に必要な制御信号の容量に関わらず、ＳＤＨ信号は回線制御や警報転送のための一定の帯域がオーバヘッド領域として予め定められているため、限られた周波数帯域を効率良く使用することが求められる無線伝送装置を用いてノード局間を接続する場合には、帯域の使用効率が悪化するという問題があった。
【０００９】
特に、無線伝送装置では限られた周波数帯域を効率よく使用することが求められており、上記問題は特に重要な要素となる。
【００１０】
また、ＰＤＨ信号列をスタッフ多重して対向局に伝送する装置（ＰＤＨ伝送装置と定義する。）では、一般に各ノード局で検出した警報を隣接ノード局に通知する方法として、ＰＤＨ信号列にＡＩＳ（Ａｌａｒｍ  Ｉｎｄｉｃａｔｉｏｎ  Ｓｉｇｎａｌ）信号を生成・送出する方法がとられるが、複数のノード局を経由して受信側ノード局に到達するリングネットワーク構成に適用した場合には、受信側ノード局がＡＩＳ信号を受信しただけでは伝送路障害であるのか、送信側ノード局の入力障害であるのかを判別することが出来ないため、障害発生による切替制御の必要性が判断出来ないという問題もあった。
【課題を解決するための手段】
【００１１】
本発明に係るＰＤＨ無線伝送装置は、複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送装置において、前記複数のノード局のうち隣接する２つの異なる隣接ノード局との間で、前記２方向の無線伝送路を介して、前記無線フレーム信号を送受信する２つの無線送受信手段を有することを特徴とする。
【００１２】
また、本発明に係るＰＤＨ無線伝送装置は、前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段をさらに有するようにしても良い。
【００１３】
また、本発明に係るＰＤＨ無線伝送装置は、前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段をさらに有するようにしても良い。
【００１４】
また、本発明に係るＰＤＨ無線伝送装置は、前記無線送受信手段により前記２方向の無線伝送路を介して受信した前記ＰＤＨ信号列から、無線伝送路の回線品質に基づいて、いずれか一方を選択して出力する信号選択手段をさらに有するようにしても良い。
【００１５】
本発明に係るＰＤＨ無線伝送装置は、複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送装置において、前記複数のノード局のうち、隣接する２つの異なる隣接ノード局との間で、前記２方向の無線伝送路を介して、前記無線フレーム信号を送受信する２つの無線送受信手段と、前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段と、前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段と、前記無線送受信手段により前記２方向の無線伝送路を介して受信した前記ＰＤＨ信号列から、無線伝送路の回線品質に基づいて、いずれか一方を選択して出力する信号選択手段とを有することを特徴とする。
【００１６】
また、本発明に係るＰＤＨ無線伝送装置は、前記ＰＤＨ信号列の入力障害又は前記無線伝送路の回線障害が発生した場合、前記対向局へ前記無線フレーム信号におけるＰＤＨ信号列のスタッフ制御情報を転送していた帯域を代用して、警報転送を行なう警報転送手段をさらに有するようにしても良い。
【００１７】
また、本発明に係るＰＤＨ無線伝送装置は、前記中継回路手段が、前記２つの無線伝送路のうちの一方に回線障害が発生した場合、前記２つの無線伝送路のうちの他方に中継出力するＰＤＨ信号列のスタッフ制御情報を転送していた帯域に、固定パターンを挿入することによって前記対向局へ回線障害を通知する回線障害通知手段をさらに有するようにしても良い。
【００１８】
また、本発明に係るＰＤＨ無線伝送装置は、前記ＰＤＨ信号列の入力障害又は前記無線伝送路の回線障害が発生した場合、障害発生を示す警報を前記ＰＤＨ信号列で前記対向局に通知する障害発生通知手段をさらに有するようにしても良い。
【００１９】
本発明に係るＰＤＨ無線伝送システムは、複数チャネルのＰＤＨ信号列をスタッフ同期処理した後、多重化して無線フレームに収容し、リング状に接続された時計回り方向と反時計回り方向の２方向の無線伝送路を介して、自局に対する対向局へ前記無線フレーム信号を送出し、複数のノード局を経由して前記対向局で前記ＰＤＨ信号列に分離してデスタッフ処理し、前記ＰＤＨ信号列を出力するＰＤＨ無線伝送システムにおいて、前記複数のノード局のうち、隣接する２つの異なる隣接ノード局との間で、前記２方向の無線伝送路を介して、前記無線フレーム信号を送受信する２つの無線送受信手段と、前記ＰＤＨ信号列を２分岐し、それぞれ前記無線フレーム信号にスタッフ同期多重し、前記無線送受信手段を介して前記２方向の無線伝送路経由で隣接するノード局へ送出するフレーム送出手段とを有する第１のＰＤＨ無線伝送装置と、前記無線送受信手段により前記２つの隣接ノード局との間に位置する２つの無線伝送路のうちの一方を介して受信した前記無線フレーム信号から前記ＰＤＨ信号列を抽出し、当該ＰＤＨ信号列を多重化し、前記２つの無線伝送路のうちの他方へ送出する中継回路手段を有する第２のＰＤＨ無線伝送装置と、前記無線送受信手段により前記２方向の無線伝送路を介して受信した前記ＰＤＨ信号列から、無線伝送路の回線品質に基づいて、いずれか一方を選択して出力する信号選択手段を有する第３のＰＤＨ無線伝送装置とを有することを特徴とする。
【００２０】
本発明では、異なる２つの無線送受信回路と、ベースバンド機器から受信したＰＤＨ信号列を２分岐して異なる２つの無線伝送路に出力する回路と、２つの異なる無線伝送路から受信したＰＤＨ信号列のうちいずれか一方を選択受信する回路と、一方の無線伝送路から受信したＰＤＨ信号列を他方の無線伝送路に中継出力する回路を１つのＰＤＨ無線伝送装置に備えると共に、収容するＰＤＨ信号列単位で伝送路の障害内容に応じた警報を通知するための警報転送手段を備えることにより、ＰＤＨ信号列を収容するＰＤＨリングネットワーク網が構築可能なＰＤＨ無線伝送装置を提供する。
【００２１】
また、一般にスタッフ同期多重を実施したＰＤＨ信号列を対向局でデスタッフ処理するためにはスタッフ制御情報の転送が必要であるが、伝送路に障害が発生した場合には対向局でＡＩＳ信号を生成・出力すれば受信側でデスタッフ処理を行う必要がないため、伝送路で障害が発生した時にのみスタッフ制御情報の転送に使用する帯域を代用して警報転送を実施することで、伝送路に新たに警報転送帯域を確保することなく、ＰＤＨ無線伝送装置間での警報転送を実現している。
【発明の効果】
【００２２】
本発明によれば、従来までのＰＤＨ無線伝送装置の信号伝送効率を確保したまま障害内容に応じた警報転送機能を備えることができ、ＳＤＨ装置で構成するよりも安価で帯域使用効率の良いＰＤＨリングネットワーク網が構築可能な無線伝送装置を提供することができる。
【発明を実施するための最良の形態】
【００２３】
本発明は、Ｎ本（Ｎは自然数）の非同期ＰＤＨ信号列をスタッフ同期した後に無線フレーム信号に収容して無線伝送路を介して対向局へ送出し、対向局でデスタッフ処理を施して再びＮ本のＰＤＨ信号列に分離して出力するＰＤＨ無線伝送装置に関し、特に、前記ＰＤＨ無線伝送装置をリング状に配置し、時計回り方向及び反時計回り方向の２つの伝送路を設けてＰＤＨ信号列単位で冗長構成をとるネットワーク構成（ＰＤＨリングネットワーク構成と定義する）に適用する場合において、１つのＰＤＨ無線伝送装置に無線送受信回路を２つ備え、異なる２つの対向局と無線伝送路を介して無線フレーム信号を送受信でき、非同期ＰＤＨ信号列を２分岐して２つの異なる無線フレーム信号にスタッフ多重する機能と、異なる２つの無線フレーム信号から抽出したＰＤＨ信号列のうちいずれか一方を選択して出力する機能と、一方の無線伝送路から受信したＰＤＨ信号列を他方の無線伝送路に中継する機能を備えることを特徴とする。
【００２４】
さらに、前記無線伝送装置は無線伝送路や非同期ＰＤＨ信号列に障害が発生した場合のみ、スタッフ多重したＰＤＨ信号列を対向局でデスタッフ処理するために必要なスタッフ制御情報を通知するための帯域を使用して、障害が発生したことを示す警報を対向局に転送する手段を備えることを特徴とする。
【００２５】
以下、本発明の実施の形態について図面を用いて詳細に説明する。
（第１の実施の形態）
図１は、本発明の一実施の形態を示すＰＤＨ無線伝送装置のブロック図であり、図２は図１に示すＰＤＨ無線伝送装置を適用したＰＤＨリングネットワーク網の一構成例を示すブロック図である。
【００２６】
図２において、４つのＰＤＨ無線伝送装置２０１−１から４は各々図１に示す構成であり、各々は時計回り方向に無線伝送路２１０から２１３、反時計回り方向に無線伝送路２１４から２１７で接続されている。
【００２７】
図２のＰＤＨ無線伝送装置２０１−１は、図示しないベースバンド機器からのＰＤＨ入力信号２２０を受信して２分岐し、無線フレーム信号に多重して無線伝送路２１０及び２１４に出力する（本発明のフレーム送出手段を構成する。）。ＰＤＨ無線伝送装置２０１−２及び２０１−４は、無線伝送路２１０又は２１４を介して受信したＰＤＨ信号列を無線伝送路２１１又は２１５に中継出力し（本発明の中継回路手段を構成する。）、ＰＤＨ無線伝送装置２０１−３では無線伝送路２１１及び２１５を介して受信した２つのＰＤＨ信号列からいずれか一方を選択して（本発明の信号選択手段を構成する。）、ＰＤＨ出力信号２２１を出力する。
【００２８】
ここで図２のＰＤＨ無線伝送装置２０１−１から４の構成について図１を用いて詳細に説明する。
【００２９】
図１に示す無線送受信回路１−１及び１−２（本発明の無線送受信手段を構成する。）は、後述するＰＤＨ信号処理回路２及びＰＤＨ信号中継回路３から受信した送信信号１６−１、１６−２及び１８−１、１８−２を無線フレーム信号に多重して無線伝送路１０、１１に出力する。また、無線送受信回路１−１及び１−２は、無線伝送路１２、１３から無線フレーム信号を受信する共に、その無線フレーム信号から受信信号１７−１、１７−２及び１９−１、１９−２を抽出してＰＤＨ信号処理回路２及びＰＤＨ信号中継回路３に出力する。
【００３０】
さらに、無線送受信回路１−１及び１−２は、無線伝送路１２、１３の回線障害を検出した場合には、回線障害警報２０−１及び２０−２を生成し、ＰＤＨ信号処理回路２及びＰＤＨ信号中継回路３に出力する。
【００３１】
ＰＤＨ信号処理回路２は、図示しないベースバンド機器から受信したＰＤＨ入力信号１４を２分岐した後に、スタッフ同期処理を施して送信信号１６−１及び１６−２を生成し、無線送受信回路１−１及び１−２に出力する。また、無線送受信回路１−１及び１−２から受信した受信信号１７−１及び１７−２に対してデスタッフ処理を施してＰＤＨ信号を再生し、受信信号１７−１、又は１７−２から再生したＰＤＨ信号のいずれか一方を選択してＰＤＨ出力信号１５として図示しないベースバンド機器に出力する。
【００３２】
次に、ＰＤＨ信号処理回路２について詳細に説明する。図３はＰＤＨ信号処理回路２の一実施の形態を表すブロック図である。
【００３３】
図３において、入力断検出回路３０１はＰＤＨ入力信号１４を監視し、入力信号に障害が発生したことを検出した場合は、入力障害警報３１１を生成して固定信号挿入回路３０３−１及び３０３−２に出力する。
【００３４】
スタッフ同期回路３０２−１及び３０２−２は、ＰＤＨ入力信号１４に対してスタッフ同期処理を行い、スタッフ同期後の送信ＰＤＨ信号３１３−１及び３１３−２をスタッフ情報多重回路３０４−１及び３０４−２に出力すると共に、デスタッフ処理に必要なスタッフ制御情報３１２−１及び３１２−２を固定信号挿入回路３０３−１及び３０３−２を介して、スタッフ情報多重回路３０４−１及び３０４−２に出力する。
【００３５】
固定信号挿入回路３０３−１及び３０３−２は、入力障害警報３１１を監視し、入力障害警報３１１が障害を表している事を検出した場合は、前記スタッフ制御情報３１２−１及び３１２−２を予め定めた入力障害を示す固定信号パターン（入力障害通知信号パターンと定義する）に置き換えて、送信スタッフ情報３１４−１及び３１４−２を生成し、スタッフ情報多重回路３０４−１及び３０４−２に出力する（本発明の警報転送手段を構成する。）。
【００３６】
スタッフ情報多重回路３０４−１及び３０４−２は前記送信ＰＤＨ信号３１３−１及び３１３−２と前記送信スタッフ情報３１４−１及び３１４−２を多重して送信信号１６−１及び１６−２を生成し、図１の無線送受信回路１−１及び１−２に出力する。
【００３７】
一方、スタッフ情報分離回路３０５−１及び３０５−２は、図１の無線送受信回路１−１及び１−２から受信した受信信号１７−１及び１７−２から受信ＰＤＨ信号３１５−１及び３１５−２と受信スタッフ情報３１６−１及び３１６−２を分離抽出してデスタッフ回路３０６−１及び３０６−２に出力し、デスタッフ処理回路３０６−１及び３０６−２は、前記受信スタッフ情報３１６−１及び３１６−２に基づき、前記受信ＰＤＨ信号３１５−１及び３１５−２をデスタッフ処理してＰＤＨ信号３１７−１及び３１７−２を生成し、信号選択回路３０８に出力する。
固定信号検出回路３０７−１及び３０７−２は、前記受信スタッフ情報３１６−１及び３１６−２を監視し、入力障害通知信号パターンもしくは後述する回線障害通知信号パターンを検出した場合は、検出した固定信号パターンに応じて入力信号障害警報３１８−１及び３１８−２もしくは伝送路障害警報３１９−１及び３１９−２を生成し、信号選択回路３０８に出力する（本発明の警報転送手段及び回線障害通知手段を構成する。）。
【００３８】
信号選択回路３０８は、前記デスタッフ回路３０６−１及び３０６−２からＰＤＨ信号３１７−１及び３１７−２を受信すると共に、図１の無線送受信回路１−１、１−２から受信した回線障害警報２０−１、２０−２、及び前記固定信号検出回路３０７−１及び３０７−２から受信した伝送路障害警報３１９−１及び３１９−２を監視し、通信路に障害が発生していない伝送路から受信したＰＤＨ信号３１７−１もしくは３１７−２を選択してＰＤＨ出力信号１５として出力する。
【００３９】
このとき、信号選択回路３０８が、ＰＤＨ信号３１７−１もしくは３１７−２のいずれか一方を選択している状態から他方へ選択系を切り替える条件は、選択系の回線障害警報２０−１（もしくは２０−２）及び伝送路障害警報３１９−１（もしくは３１９−２）のうちいずれか一方、もしくは両方の警報を検出し、非選択系の回線障害警報２０−２（もしくは２０−１）及び伝送路障害警報３１９−２（もしくは３１９−２）のいずれの警報も検出していない場合である。
【００４０】
また、選択側の伝送路から入力信号障害警報３１８−１、又は３１８−２を検出した場合、もしくは選択系と非選択系の双方の通信路で障害を検出している場合は、ＡＩＳ信号を生成（本発明の障害発生通知手段を構成する。）してＰＤＨ出力信号１５として出力する。
【００４１】
図１のＰＤＨ信号中継回路３は、回線障害警報２０−１及び２０−２を監視すると共に、無線送受信回路１−１及び１−２から受信した受信信号１９−１及び１９−２を中継して送信信号１８−２及び１８−１を生成し、無線送受信回路１−２及び１−１に出力するものであり、図４にはＰＤＨ信号中継回路３の一実施の形態を表すブロック図である。
【００４２】
図４において、スタッフ情報分離回路４０１−１及び４０１−２は、図１の無線送受信回路１−１及び１−２から受信した受信信号１９−１及び１９−２から中継ＰＤＨ信号４１２−１及び４１２−２と受信中継スタッフ情報４１１−１及び４１１−２を分離抽出して、中継ＰＤＨ信号４１２−１及び４１２−２をスタッフ情報多重回路４０３−２及び４０３―１に出力すると共に、受信中継スタッフ情報４１１−１及び４１１−２を固定信号挿入回路４０２−１及び４０２−２を介してスタッフ情報多重回路４０３−２及び４０３−１に出力する。
【００４３】
固定信号挿入回路４０２−１及び４０２−２は前記受信中継スタッフ情報４１１−１及び４１１−２を送信中継スタッフ情報４１３−１及び４１３−２としてスタッフ情報多重回路４０３−２及び４０３−１に出力する。また、固定信号挿入回路４０２−１及び４０２−２は、回線障害警報２０−１及び２０−２を監視し、回線障害警報２０−１及び２０−２が障害を表している事を検出した場合は、予め定められた無線伝送路の回線障害を示す固定信号パターン（回線障害通知信号パターンと定義する）を生成し、前記受信中継スタッフ情報４１１−１及び４１１−２と置き換えて送信中継スタッフ情報４１３−１及び４１３−２として、スタッフ情報多重回路４０３−２及び４０３−１に出力する（本発明の回線障通知手段を構成する。）。
【００４４】
スタッフ情報多重回路４０３−２及び４０３−１は、前記中継ＰＤＨ信号４１２−１及び４１２−２と前記送信中継スタッフ情報４１３−１及び４１３−２を多重して送信信号１８−２及び１８−１を生成し、図１の無線送受信回路１−２及び１−１に出力する。
【００４５】
次に、本発明の一実施の形態における動作について、図１から図４を参照して詳細に説明する。
【００４６】
まず、図２に示すＰＤＨリングネットワーク網の無線伝送路２１０から２１７にはいずれも回線障害が無く、ＰＤＨ入力信号２２０が正常に入力されている状態において、ＰＤＨ無線伝送装置２０１−１が図示しないベースバンド機器から受信したＰＤＨ入力信号２２０を無線伝送路２１０、ＰＤＨ無線伝送装置２０１−２、無線伝送路２１１経由の時計回り伝送ルートと、無線伝送路２１４、ＰＤＨ無線伝送装置２０１−４、無線伝送路２１５経由の反時計回り伝送ルートを介してＰＤＨ無線伝送装置２０１−３に伝送し、ＰＤＨ無線伝送装置２０１−３では時計回り方向の伝送ルートから受信したＰＤＨ信号列を選択してＰＤＨ出力信号２２１を出力しているものとする。
【００４７】
また、各無線伝送装置２０１−１から２０１−４は、図１に示す無線伝送路１２が時計回り方向から受信する方向となるように配置しているものとする。
【００４８】
ここでＰＤＨ入力信号２２０に障害が発生し入力信号が無くなった場合について図１から図３を参照しながら、説明する。
【００４９】
図２のＰＤＨ無線伝送装置２０１−１を構成する図３の入力断検出回路３０１ではＰＤＨ入力信号１４に障害が発生したことを検出し、入力障害警報３１１を生成して固定信号挿入回路３０３−１及び３０３−２に通知する。
【００５０】
前記入力障害警報３１１を受信した固定信号挿入回路３０３−１及び３０３−２は、前記入力障害警報３１１に従い入力信号が無くなったことを示す入力信号障害通知信号パターンを生成し、スタッフ同期回路３０２−１及び３０２−２から受信したスタッフ制御情報３１２−１及び３１２−２と置き換えて送信スタッフ情報３１４−１及び３１４−２を生成してスタッフ情報多重回路３０４−１及び３０４−２に出力する。
【００５１】
スタッフ情報多重回路３０４−１及び３０４−２では、前記送信スタッフ情報３１４−１及び３１４−２と送信ＰＤＨ信号３１３−１及び３１３−２を多重した送信信号１６−１及び１６−２を図２の無線伝送路２１０及び２１４に送出する。図２の無線伝送装置２０１−３では無線伝送路２１０、無線伝送装置２０１−２、及び無線伝送路２１１を経由して伝送された前記無線伝送装置２０１−１の出力と、無線伝送路２１４、無線伝送装置２０１−４、及び無線伝送路２１５を経由して伝送された前記無線伝送装置２０１−１の出力を受信する。
【００５２】
図２のＰＤＨ無線伝送装置２０１−３を構成する図３に示すスタッフ情報分離回路３０５−１及び３０５−２は、受信信号１７−１及び１７−２から各々受信ＰＤＨ信号３１５−１及び３１５−２と受信スタッフ情報３１６−１及び３１６−２を分離し、受信スタッフ情報３１６−１及び３１６−２を固定信号検出回路３０７−１及び３０７−２に出力する。
【００５３】
固定信号検出回路３０７−１及び３０７−２は、ＰＤＨ無線伝送装置２０１−１のＰＤＨ入力信号２２０に障害が発生していることを示す入力信号障害通知信号パターンが受信スタッフ情報３１６−１及び３１６−２に多重されていることを検出すると、入力信号障害警報３１８−１及び３１８−２を生成して信号選択回路３０８に通知する。
【００５４】
信号選択回路３０８は、回線障害警報２０−１及び２０−２、及び伝送路障害警報３１９−１及び３１９−２を検出していない状態で入力信号障害警報３１８−１及び３１８−２のみを検出したことから、通信経路には障害が発生していないと判断して受信信号の切替は実施せず、図２のＰＤＨ出力信号２２１をＡＩＳ出力に切り替えることで図示しないベースバンド機器に対してＰＤＨ信号列の障害を通知する。
【００５５】
以上より、通信経路に回線障害が発生していない状態で、送端のＰＤＨ入力信号に障害が発生した場合は、スタッフ情報を転送する領域を用いて入力信号障害が発生している旨を受端側に通知することにより、受端側の無線伝送装置で不要な回線の切替を伴うことなくＰＤＨ出力信号をＡＩＳ出力に切り替えることができ、後段の機器に対してＰＤＨ信号列の障害を通知することができる。
【００５６】
次に、時計回り方向の無線伝送路２１０において回線障害が発生した場合について、図１から図４を参照して説明する。
【００５７】
図２のＰＤＨ無線伝送装置２０１−２を構成する図１の無線送受信回路１−１では、無線伝送路に障害が発生したことを検出して回線障害警報２０−１を生成し、ＰＤＨ信号中継回路３を構成する図４の固定信号挿入回路４０２−１に通知する。前記回線障害警報２０−１を受信した固定信号挿入回路４０２−１は、前記回線障害警報２０−１に従い無線回線障害を示す回線障害通知信号パターンを生成し、受信中継スタッフ情報４１１−１に回線障害通知信号パターンを挿入し、送信中継スタッフ情報４１３−１を、スタッフ情報多重回路４０３−２に出力する。
【００５８】
スタッフ情報多重回路４０３−２では回線障害通知信号パターンが挿入された前記送信中継スタッフ情報４１３−１と中継ＰＤＨ信号４１２−１を多重した送信信号１８−２を生成して、図２の無線伝送路２１１介してＰＤＨ無線伝送装置２０１−３に出力する。
【００５９】
図２のＰＤＨ無線伝送装置２０１−３を構成する図３に示すスタッフ情報分離回路３０５−１は、受信信号１７−１から無線回線障害を示す回線障害通知信号パターンが挿入された受信スタッフ情報３１６−１を抽出して固定信号検出回路３０７−１に出力する。固定信号検出回路３０７−１では回線障害通知信号パターンが前記受信スタッフ情報３１６−１に多重されていることを検出すると、伝送路障害警報３１９−１を生成して信号選択回路３０８に通知する。
【００６０】
信号選択回路３０８では、反時計回り方向の伝送路障害警報３１９−２及び回線障害警報２０−２を検出していない状態で、時計回り方向の伝送路障害警報３１９−２を検出したことから、時計回り方向の通信経路に障害が発生し、反時計回り方向の通信経路は正常に運用されていると判断し、これまで時計回り方向から受信したＰＤＨ信号３１７−１を選択していた状態から、反時計回り方向から受信したＰＤＨ信号３１７−２を選択するように受信信号を切り替え、反時計回り方向から受信したＰＤＨ信号３１７−２を選択してＰＤＨ出力信号２２１として出力する。
【００６１】
以上より、受信側ノード局が隣接しない通信経路の無線伝送路で障害が発生した場合には、無線伝送路障害を検出したＰＤＨ無線伝送装置がスタッフ情報を転送する領域を用いて受信側ノード局に対して無線伝送路障害を通知することができるので、受端側のＰＤＨ無線伝送装置では無線伝送路の障害に基づきＰＤＨ信号列単位での回線切替を実施することが可能となる。
【００６２】
次に、無線伝送路２１１に回線障害が発生した場合について図１から図３を参照して説明する。
【００６３】
図２のＰＤＨ無線伝送装置２０１−３を構成する図１の無線送受信回路１−１では、無線伝送路に障害が発生したことを検出して回線障害警報２０−１を生成し、ＰＤＨ信号処理回路２を構成する図３の信号選択回路３０８に通知する。
【００６４】
前記回線障害警報２０−１を受信した信号選択回路３０８では、反時計回り方向の伝送路障害警報３１９−１、回線障害警報２０−２を検出していない状態で、時計回り方向の回線障害警報２０−１を検出したことから、時計回り方向の通信経路に障害が発生し、反時計回り方向の通信経路は正常に運用されていると判断し、これまで時計回り方向から受信したＰＤＨ信号３１７−１を選択していた状態から、反時計回り方向から受信したＰＤＨ信号３１７−２を選択するように受信信号を切り替え、反時計回り方向から受信したＰＤＨ信号３１７−２を選択してＰＤＨ出力信号２２１として出力する。
【００６５】
以上により、受信側ノード局が隣接する無線伝送路で障害が発生した場合には、障害が発生していない無線伝送路から受信したＰＤＨ信号列を選択することが可能となる。
【００６６】
以上の構成によれば、本発明の第一の効果は、無線伝送路の回線障害やＰＤＨ信号列の入力障害を対向局に通知するための専用の警報転送帯域を、無線伝送路に予め確保することなく、障害が発生した場合に対向局に障害を通知することができることである。
【００６７】
その理由は、無線伝送路の回線障害やＰＤＨ信号列の入力障害を示す警報をＰＤＨ信号列単位で対向局に転送する手段として、障害が発生した場合にのみ、スタッフ制御情報を対向局に通知するための帯域を代用して障害通知に用いるためである。
【００６８】
また本発明の第二の効果は、送信側ノード局から複数のノード局を経由して受信側ノード局にＰＤＨ信号を送信するネットワーク構成において、送信側ノード局で発生したＰＤＨ信号の入力信号障害と、通信経路中の任意の箇所で発生した伝送路障害を、受信側ノード局において明確に区別できることである。
【００６９】
その理由は、スタッフ制御情報帯域を用いて転送する回線障害警報のうち、送信側ノード局で発生した入力信号障害を示す警報の固定信号パターンと、通信経路中の任意の箇所で発生した回線障害を示す警報の固定信号パターンを、異なる信号列で通知するためである。
【００７０】
さらに本発明の第三の効果は、各ノード局で煩雑な配線接続を行うことなく、非同期ＰＤＨ信号列単位で予備伝送ルートを備えた無線ＰＤＨリングネットワーク構成が容易に実現できることである。
【００７１】
その理由は、異なる２つの無線送受信回路と、ベースバンド機器から受信したＰＤＨ信号列を２分岐して異なる２つの無線伝送路に出力する回路と、２つの異なる無線伝送路から受信したＰＤＨ信号列からいずれか一方を選択受信する回路と、一方の無線伝送路から受信したＰＤＨ信号列を他方の無線伝送路に中継出力する回路を１つのＰＤＨ無線伝送装置に備えると共に、収容するＰＤＨ信号列単位で伝送路の障害を通知するための警報転送手段を備えているからである。
【００７２】
そして本発明の第四の効果は、ノード局間を接続する伝送路の帯域使用効率が良いリングネットワーク網を実現できることである。
【００７３】
その理由は、ＰＤＨ信号列をＳＤＨ信号に多重してノード局間を伝送するＳＤＨリングネットワーク構成に代わり、ＰＤＨ信号列を無線フレームに直接スタッフ多重してノード局間を伝送するＰＤＨリングネットワーク構成をとることで、規定されたＳＤＨ信号の伝送容量に満たない小容量のＰＤＨ信号列を伝送する場合でも、伝送する信号容量に合わせた最低限の伝送路帯域を確保することで信号伝送が可能なほか、ＳＤＨ信号では必ず確保されるオーバヘッド領域を必要に応じた容量に応じて大幅に削減することができるからである。
【００７４】
なお、本実施の形態では、入力信号障害通知信号パターンと回線障害通知信号パターンによって、スタッフ制御情報を転送する領域を使用して、障害に応じた警報を通知するようになされていたが、本発明はこれに限らず、スタッフ制御情報を転送する領域を使用して障害に応じた警報を通知すれば良く、固定信号パターンのパターン、固定信号パターンのビット数、或いは固定パターンの値などには限定されない。
（他の実施の形態）
第１の実施の形態において、図２では４つのノード局から構成されたリングネットワーク網を例示したが、リングネットワーク網を構成するノード局数がＮ（Ｎは４以上の整数）で構成されるリングネットワーク網でも適用可能である。
【００７５】
また、スタッフ制御情報の領域を用いて警報を転送する手段として、警報の種別により一意に決まる固定信号パターンを用いる方法を一例として示したが、複数の警報を時分割に多重したシリアル信号列を用いて通知しても良い。さらに、各々の無線伝送装置が障害を検出した局ＩＤを表すユニークパターンを用いることで障害発生箇所を通知することも可能である。
【図面の簡単な説明】
【００７６】
【図１】本発明の第１の実施の形態によるＰＤＨ無線伝送装置のブロック図である。
【図２】本発明の第１の実施の形態によるＰＤＨリングネットワーク網の一構成例を示すブロック図である。
【図３】本発明の第１の実施の形態によるＰＤＨ信号処理回路を表すブロック図である。
【図４】本発明の第１の実施の形態によるＰＤＨ信号中継回路を表すブロック図である。
【符号の説明】
【００７７】
１―１  無線送受信回路
１−２  無線送受信回路
２  ＰＤＨ信号処理回路
３  ＰＤＨ信号中継回路
２０１−１  ＰＤＨ無線伝送装置
２０１−２  ＰＤＨ無線伝送装置
２０１−３  ＰＤＨ無線伝送装置
２０１−４  ＰＤＨ無線伝送装置
３０１  入力断検出回路
３０２−１  スタッフ同期回路
３０２−２  スタッフ同期回路
３０３−１  固定信号挿入回路
３０３−２  固定信号挿入回路
３０４−１  スタッフ情報多重回路
３０４−２  スタッフ情報多重回路
３０５−１  スタッフ情報分離回路
３０５−２  スタッフ情報分離回路
３０６−１  デスタッフ回路
３０６−２  デスタッフ回路
３０７−１  固定信号検出回路
３０７−２  固定信号検出回路
３０８  信号選択回路
４０１−１  スタッフ情報分離回路
４０１−２  スタッフ情報分離回路
４０２−１  固定信号挿入回路
４０２−２  固定信号挿入回路
４０３−１  スタッフ多重回路
４０３−２  スタッフ多重回路
【図１】
2007259084.tif 000003
【図２】
2007259084.tif 000004
【図３】
2007259084.tif 000005
【図４】
2007259084.tif 000006